(57)【要約】【課題】開口枠の下部の隙間が狭い場合においても横引シャッタを容易に取付けることができる手段を提供する。【解決手段】開口枠の側方の外壁に取付けられたシャッタ収納部と、シャッタ収納部に収納されるスラットと、スラットの移動を案内する上下枠とを備えた横引シャッタにおいて、下枠に、端部に上方に向けて形成された取付フランジを設けた敷居板と、敷居板と所定の間隔をあけて対向する底板とを設け、底板の端部が当接するブラケット固定部と、取付フランジに対向する下枠取付部とを有するブラケットを設け、ブラケットをブラケット固定部により外壁に固定し、ブラケット固定部に底板の端部を当接させ、下枠取付部に取付フランジを固定して下枠をブラケットに組付けたことを特徴とする。【選択図】        図１
2006144350.tif 000002
【特許請求の範囲】
【請求項１】
開口枠の側方の外壁に取付けられたシャッタ収納部と、該シャッタ収納部に収納されるスラットと、該スラットの移動を案内する上下枠とを備えた横引シャッタにおいて、
前記下枠に、端部に上方に向けて形成された取付フランジを設けた敷居板と、該敷居板と所定の間隔をあけて対向する底板とを設け、
前記底板の端部が当接するブラケット固定部と、前記取付フランジに対向する下枠取付部とを有するブラケットを設け、
前記ブラケットを前記ブラケット固定部により外壁に固定し、前記ブラケット固定部に前記底板の端部を当接させ、前記下枠取付部に前記取付フランジを固定して前記下枠を前記ブラケットに組付けたことを特徴とする横引シャッタ。
【請求項２】
開口枠の側方の外壁に取付けられたシャッタ収納部と、該シャッタ収納部に収納されるスラットと、該スラットの移動を案内する上下枠とを備えた横引シャッタにおいて、
前記下枠に、端部に上方に向けて形成された取付フランジを設けた敷居板と、該敷居板と所定の間隔をあけて対向し、外壁に当接する底板とを設け、
ブラケット固定部と、前記取付フランジに対向する下枠取付部とを有するブラケットを設け、
前記ブラケットを前記ブラケット固定部により外壁に固定し、前記外壁に前記底板の端部を当接させ、前記下枠取付部に前記取付フランジを固定して前記下枠を前記ブラケットに組付けたことを特徴とする横引シャッタ。
【請求項３】
請求項１または請求項２において、
前記敷居板に、下方に突出する係合端部を備える第１の係合部を設け、
前記ブラケットに、下枠取付部の下部に、前記敷居板に当接するブラケット上板を設け、該ブラケット上板の前記下枠取付部近傍に、前記第１の係合部を係合する係合溝を形成し、
前記係合溝に前記第１の係合部を係合させると共に、前記敷居板に前記ブラケット上板を当接させたことを特徴とする横引シャッタ。
【請求項４】
請求項１、請求項２または請求項３において、
前記下枠に、前記敷居板と前記底板との間を接続し、前記底板と前記敷居板との間の中ほどに下向き係合端を形成した第２の係合部を有するリブを設け、
前記ブラケットに、前記上向き係合端を備えたブラケット下板を設け、
前記ブラケット下板に前記第２の係合部を係止させたことを特徴とする横引シャッタ。
【発明の詳細な説明】
【技術分野】
【０００１】
本発明は、シャッタ収納部、上枠および下枠からなるシャッタ枠体を開口枠を囲うように取付ける横引シャッタに関する。
【背景技術】
【０００２】
従来の横引シャッタは、開口枠の下方の外壁に取付固定された躯体固定枠に下枠を上下からねじ止めすることによって取付け、この下枠にスラットの振れ止めのためのガイドレールを取付けて上吊のスラットの開閉を行っている（例えば、特許文献１参照。）。
【特許文献１】特開平１１−６２４３２号公報（第３頁、段落００１４、第７図）
【発明の開示】
【発明が解決しようとする課題】
【０００３】
しかしながら、上述した従来の技術においては、下枠を躯体固定枠の上と下からねじ止めして取付けているので、バルコニーの出入口等に取付けられている開口枠に横引シャッタを設置しようとする場合に開口枠の下部とバルコニーの床面との隙間が狭いために躯体固定枠の下からねじを止めることができず、下枠を取付けることが困難であるという問題がある。
【０００４】
本発明は、上記の問題点を解決するためになされたもので、開口枠の下部の隙間が狭い場合においても横引シャッタを容易に取付けることができる手段を提供することを目的とする。
【課題を解決するための手段】
【０００５】
本発明は、上記課題を解決するために、開口枠の側方の外壁に取付けられたシャッタ収納部と、該シャッタ収納部に収納されるスラットと、該スラットの移動を案内する上下枠とを備えた横引シャッタにおいて、前記下枠に、端部に上方に向けて形成された取付フランジを設けた敷居板と、該敷居板と所定の間隔をあけて対向する底板とを設け、前記底板の端部が当接するブラケット固定部と、前記取付フランジに対向する下枠取付部とを有するブラケットを設け、前記ブラケットを前記ブラケット固定部により外壁に固定し、前記ブラケット固定部に前記底板の端部を当接させ、前記下枠取付部に前記取付フランジを固定して前記下枠を前記ブラケットに組付けたことを特徴とする。
【発明の効果】
【０００６】
これにより、本発明は、開口枠の下部の隙間が狭い場合でも横引シャッタを容易に設置することができると共に下部の隙間が広い場合においても横引シャッタを容易に設置することができるという効果が得られる。
【発明を実施するための最良の形態】
【０００７】
以下に、図面を参照して本発明による横引シャッタの実施例について説明する。
【実施例１】
【０００８】
図１は実施例１の横引シャッタの取付けを示す斜視図、図２は実施例１のスラットを示す上面図、図３は実施例１のスラットを示す矢印Ａ方向の矢視図、図４は実施例１の横引シャッタの上部を示すＢ−Ｂ断面線断面図、図５は実施例１の横引シャッタの下部を示すＢ−Ｂ断面線断面図である。
図１において、１は両開き式の横引シャッタである。
【０００９】
２ａ、２ｂはシャッタ収納部であり、互いに連結した複数のスラット４を巻き付ける図示しない巻取りドラムを内部に取付けるための扉を有しており、開口枠５の両側の側方に配置される。
スラット４は、図２、図３に示すように湾曲断面を有し、その両側の端部にスラット４を一列に連結するための互いにかみ合うヒンジ部４ａ、４ｂが設けられる。
【００１０】
６は案内部材であり、連結したスラット４の裏側の上部と下部にスラット４が移動する方向（移動方向という。）に所定の間隔で複数取付けられ、移動方向に沿った案内溝６ａが形成される。
図４、図５において、７は先導框でありシャッタ収納部２ａ、２ｂから引出される先端のスラット４と連結し、下部には先導框７の移動を支持するためのローラ７ａが回転可能に設けられている。
【００１１】
８は上枠であり、シャッタ収納部２ａ、２ｂ間の上方に架設され、外壁３に横引シャッタ１を取付けるためのシャッタ取付穴９を有するシャッタ固定フランジ１０が設けられ、外板８ａの内側に、天然ゴムや合成ゴム等で製作された埃や水の浸入を防止する上部防塵部材１１が取付けられる。
１２は嵌合溝であり、上部防塵部材１１に対向配置された四角断面形状を有する溝であって、その上部防塵部材１１に対向する面の一部が開口するように形成され、先端が上部防塵部材１１の方向に伸長するガイド板１３ａを備えた上部ガイド１３が嵌合する。
【００１２】
スラット４の上部の案内部材６の案内溝６ａを上部防塵部材１１とガイド板１３ａとの間に挟むように設置することにより、上部防塵部材１１とガイド板１３ａがスラット４の上部の移動を案内すると共にスラット４の振れ止めとして機能する。
１４は下枠であり、その屋外側に外壁３と平行に設けられた外板１４ａとこれに対向する下部ガイド取付板１５、上板となる敷居板１６、敷居板１６と所定の間隔をあけて対向する底板１７、下部ガイド取付板１５よりも外壁３側で敷居板１６と底板１７との間を接続するリブ１８とにより構成されてシャッタ収納部２ａ、２ｂ間の下方に架設される。
【００１３】
外板１４ａの内側には、天然ゴムや合成ゴム等で製作されて埃や水の浸入を防止する下部防塵部材１９が取付けられる。
下部ガイド取付板１５には、下部ガイド２０の下端部を係止するためのガイド係止部２１が設けられる。
下部ガイド２０には、先端が下部防塵部材１９の方向に伸長するガイド板２２が設けられており、下部ガイド２０の下端部がガイド係止部２１に係止される。また下部ガイド２０の上面が下枠１４の敷居板１６にねじ止めされて先導框７の下部に設けられたローラ７ａの転動を支持するレール２３として機能する。
【００１４】
スラット４の下部の案内部材６の案内溝６ａを下部防塵部材１９とガイド板２２との間に挟むように設置することにより、下部防塵部材１９とガイド板２２がスラット４の下部の移動を案内すると共にスラット４の振れ止めとして機能する。
敷居板１６には、その外壁３側の端部に上方に向けて外壁３と平行に取付フランジ２４が設けられ、取付フランジ２４の下方にはＬ字状に突出した係合端部２５ａを備えた第１の係合部２５が設けられる。
【００１５】
また、取付フランジ２４には取付ねじ２６を挿入する取付穴２７が所定の間隔で複数設けられる。
リブ１８には、外壁３側に向けて突出する逆Ｌ字状の下向き係合端２８ａを有する第２の係合部２８が後述するブラケット下板３６の上向き係合端３５にかみ合うように敷居板１６と底板１７との間の中ほどに設けられる。
【００１６】
３０はブラケットであり、全長が開口枠５の横枠と略同一の長さに形成され、外壁３にブラケット３０を固定するための固定穴３２を所定の間隔で複数設けたブラケット固定部３３と、ブラケット固定部３３の上方に形成され、敷居板１６の下面と当接する当接面３４ａを有するブラケット上板３４と、固定穴３２が設けられている箇所よりも下方に形成され、先端に下枠１４のリブ１８の下向き係合端２８ａとかみ合う上向き係合端３５を設けたブラケット下板３６とにより略コの字状に構成される。
【００１７】
ブラケット固定部３３には、その下部をブラケット下板３６よりも下方へ伸長させて下枠１４の底板１７の外壁３側の端部が当接する当接部３７が形成される。
ブラケット上板３４には、下枠１４の敷居板１６の第１の係合部２５の係合端部２５ａが係合する係合溝３８と、係合溝３８の近傍から下枠１４の取付フランジ２４と対向するように上方に伸長させた下枠取付部３９とが設けられる。
【００１８】
下枠取付部３９には、取付フランジ２４の取付穴２７と同じ位置に取付ねじ２６を螺合させるねじ穴４０が複数設けられる。
上述した構成の横引シャッタ１の取付けについて説明する。
巻取りドラムを取付けていないシャッタ収納部２ａ、２ｂ間に上枠８と下枠１４を架設して横引シャッタ１の枠体を構成する。
【００１９】
次に開口枠５の下方の外壁３にブラケット上板３４およびブラケット下板３６を屋外側にしたブラケット３０をブラケット固定部３３の固定穴３２によりねじで固定する。
上述した下枠１４の敷居板１６の第１の係合部２５とリブ１８の第２の係合部２８とをブラケット上板３４とブラケット下板３６よりも高い位置で、かつ底板１７がブラケット下板３６よりも低い位置となるようにして下枠１４をブラケット３０に挿入し、下枠１４の敷居板１６の第１の係合部２５の係合端部２５ａをブラケット３０のブラケット上板３４の係合溝３８に係合させ、ブラケット上板３４の当接面３４ａを敷居板１６に当接させると共に、リブ１８の第２の係合部２８の下向き係合端２８ａとブラケット下板３６の上向き係合端３５とをかみ合わせて第２の係合部２８にブラケット下板３６を係止させ、下枠１４の底板２４の端部をブラケット３０のブラケット固定部３３の当接部３７に当接させて下枠１４をブラケット３０に組付ける。
【００２０】
このとき、下枠１４の底板１７の下面と床面４１との間に狭い隙間Ｓが形成される。
次いで、下枠１４の取付フランジ２４の取付穴２７に取付ねじ２６を挿入し、ブラケット３０の下枠取付部２７のねじ穴４０にねじ止めして固定し、上枠８のシャッタ固定フランジ１０のシャッタ取付穴９にねじを挿入して外壁３にねじ止めして横引シャッタ１の枠体を開口枠５を囲うようにして外壁３に固定する。
【００２１】
これにより、取付ねじ２６を外壁３に対して直角方向に締め付けて、横引シャッタ１の枠体を外壁３に固定することができる。
そして、シャッタ収納部２ａ、２ｂの扉を開いてそれぞれのシャッタ収納部２ａ、２ｂの内部にスラット４と先導框７、巻取りドラムを挿入し、スラット４の上部の案内部材６の案内溝６ａを上枠８の上部防塵部材１１とガイド板１３ａとの間に挟むようにして組付け、先導框７のローラ７ａを下枠１４の下部ガイド２０のレール２３上に乗せてスラット４の下部の案内部材６の案内溝６ａを下枠１４の下部防塵部材１９とガイド板２２との間に挟むようにして組付け、巻取りドラムをシャッタ収納部２ａ、２ｂに取付けて横引シャッタ１を組立てる。
【００２２】
以上説明したように、本実施例の横引シャッタは、敷居板の第１の係合部の係合端部をブラケット上板の係合溝に係合させて敷居板をブラケット上板の当接面に当接させ、リブの第２の係合部の下向き係合端とブラケット下板の係合端とをかみ合わせて第２の係合部にブラケット下板を係止させ、底板をブラケット固定部の当接部に当接させることにより、下枠をブラケットに組付けた後に、取付ねじを外壁に対して直角方向に締め付けることができ、下部の隙間Ｓが狭い場合においても横引シャッタを容易に設置することができる。
【００２３】
また、下部の隙間Ｓが広い場合においても上記と同様にして横引シャッタを容易に設置することができる。
すなわち、本実施例の横引シャッタはどのような設置場所であっても容易に取付けることができる。
また、ブラケット固定部の固定穴のみで外壁に固定したブラケットに下枠を組付け、固定穴よりも上方の外壁にねじを締めないことにより、サッシの下部から外壁に締まるねじまでの長さを確保して外壁に使用するサイディングとしての壁面パネルが割れてしまうことを防止することができる。
【実施例２】
【００２４】
図６は実施例２の横引シャッタの下部を示す横断面図である。
なお、上記実施例と同様の部分は同一の符号を付してその説明を省略する。
下枠１４の底板１７は図６に示すように、底板端部４３が外壁３と当接するように伸長して形成される。
ブラケット３０のブラケット固定部３３の下部は、ブラケット下板３６よりも下方に伸長して底板１７に当接しない位置に伸長するように形成される。
【００２５】
このように、下枠１４の底板１７とブラケット３０のブラケット固定部３３とを構成したことにより、敷居板１６の第１の係合部２５の係合端部２５ａをブラケット上板３４の係合溝３８に係合させて敷居板１６をブラケット上板３４の当接面３４ａに当接させ、リブ１８の第２の係合部２８の下向き係合端２８ａとブラケット下板３６の上向き係合端３５とをかみ合わせて第２の係合部２８にブラケット下板３６を係止させると共に、底板１７を外壁３と当接させるので、上記実施例１と同様の効果を得ることができる。
【００２６】
なお、本実施例においては、開口枠の横枠と略同一の長さの全長を有するブラケットの場合について説明したが、全長を開口枠の横枠よりも短く形成したブラケットに下枠を組付けるようにしてもよく、複数に分割したブラケットを外壁に所定の間隔で配置し、これらのブラケットに下枠を組付けてもよい。このようにしても上記と同様の効果を得ることができる。
【００２７】
また、上記実施例１、実施例２においては、両開き式の横引シャッタとして説明したが、シャッタ収納部が左右のどちらか一方にのみ配置された片開き式の横引シャッタに適用しても上記と同様の効果を得ることができる。
【図面の簡単な説明】
【００２８】
【図１】実施例１の横引シャッタの取付けを示す斜視図
【図２】実施例１のスラットを示す上面図
【図３】実施例１のスラットを示す矢印Ａ方向の矢視図
【図４】実施例１の横引シャッタの上部を示すＢ−Ｂ断面線断面図
【図５】実施例１の横引シャッタの下部を示すＢ−Ｂ断面線断面図
【図６】実施例２の横引シャッタの下部を示す横断面図
【符号の説明】
【００２９】
１    横引シャッタ
２ａ、２ｂ  シャッタ収納部
３    外壁
４    スラット
４ａ、４ｂ  ヒンジ部
５    開口枠
６    案内部材
６ａ  案内溝
７    先導框
７ａ  ローラ
８    上枠
８ａ、１４ａ  外板
９    シャッタ取付穴
１０  シャッタ固定フランジ
１１  上部防塵部材
１２  嵌合溝
１３  上部ガイド
１３ａ、２２  ガイド板
１４  下枠
１５  下部ガイド取付板
１６  敷居板
１７  底板
１８  リブ
１９  下部防塵部材
２０  下部ガイド
２１  ガイド係止部
２３  レール
２４  取付フランジ
２５  第１の係合部
２５ａ  係合端部
２６  取付ねじ
２７  取付穴
２８  第２の係合部
２８ａ  下向き係合端
３０  ブラケット
３２  固定穴
３３  ブラケット固定部
３４  ブラケット上板
３４ａ  当接面
３５  上向き係合端
３６  ブラケット下板
３７  当接部
３８  係合溝
３９  下枠取付部
４０  ねじ穴
４１  床面
４３  底板端部
【図１】
2006144350.tif 000003
【図２】
2006144350.tif 000004
【図３】
2006144350.tif 000005
【図４】
2006144350.tif 000006
【図５】
2006144350.tif 000007
【図６】
2006144350.tif 000008